(57)【特許請求の範囲】
【請求項１】
ロールベールを運搬するための器具であって、
所定幅・長さを有する無端状帯体から成る一以上の横ベルトと、所定幅・長さを有する無端状帯体から成る一の縦ベルトと、から成り、
前記縦ベルトは、中間箇所で略直交に交差させた状態で該交差箇所を固定して二つの環状体が形成されて成り、
前記形成された二つの環状体夫々の中間所定箇所と前記横ベルトとを固定して成ることを特徴とするロールベール用吊ベルト。
【請求項２】
ロールベールを運搬するための器具であって、
所定幅・長さを有する無端状帯体から成る一以上の横ベルトと、所定幅・長さを有する無端状帯体から成る二以上の縦ベルトと、から成り、
前記複数の縦ベルト同士を交差させた状態に配置するとともに、該縦ベルトの交差箇所の一方を固定して交差した二以上の環状体が形成されて成り、
前記形成された二以上の環状体夫々の中間所定箇所と前記横ベルトとを固定して成ることを特徴とするロールベール用吊ベルト。
【請求項３】
ロールベールを運搬するための器具であって、
所定幅・長さを有する無端状帯体から成る一以上の横ベルトと、所定幅・長さを有する有端状帯体から成る二以上の縦ベルトと、所定長さを有する一の緊結紐と、から成り、
前記縦ベルトは、各端部に緊結紐を挿通するための挿通孔を設けて成り、
前記複数の縦ベルトにおける夫々の中間所定箇所と前記横ベルトとを固定するとともに、前記各挿通孔に緊結紐を挿通することで該緊結紐を介して各縦ベルト端部が連結状態となっていることを特徴とするロールベール用吊ベルト。
【請求項４】
前記ロールベール用吊ベルトにおいて、
前記横ベルトを所定幅・長さを有する有端状帯体により成形し、
該横ベルトの各端部に該端部同士を締結するための締結部が備えられていることを特徴とする請求項１から請求項３のいずれかに記載のロールベール用吊ベルト。
【請求項５】
前記ロールベール用吊ベルトにおいて、
前記横ベルトの締結部に、該横ベルトの長さ調節機能を有する調節部が備えられていることを特徴とする請求項４に記載のロールベール用吊ベルト。
【発明の詳細な説明】
【技術分野】
【０００１】
本発明は、ロールベールの運搬用具に関し、詳しくは、ロールベールを吊って運搬することを可能にする吊ベルトに関するものである。
【背景技術】
【０００２】
ロール状に成形されたロールベールは、大型のもので直径及び高さが夫々１ｍ以上もあり、その重量は６００ｋｇ〜１ｔにもなる。かかるロールベールを運搬するに際しては、その大きさ及び重量から専用重機が必要であり、大規模農家であればその必要性から該重機を所有している場合もあるが、小規模な一般農家には該重機を所有することはコスト的・スペース的に困難であり、結果としてロールベールを運搬することは困難若しくは不可能なものであった。
【０００３】
かかる問題を解決すべく、特開２００５−１５１８８３号公報（特許文献１）には、「前後端に持ち手を備えた二本の支持棒を並列に並べて該二本の支持棒間にシートを張って荷受台を形成した担架状のロールベール運搬具」の発明が記載されている。この発明によれば、荷受台にロールベールを載せて支持棒前後端の持ち手を二人乃至四人で手分けして持つことにより、専用重機を使用せずに人手によりロールベールを運搬することが可能となる。
【０００４】
しかしながら、上記特許文献１記載の発明によると、そもそも重量４０〜４５ｋｇ程度の小型なロールベールの運搬を想定した運搬具であるとともに、確かに専用重機は不要であるものの、運搬に二人以上の人出を要するものであって、人的・労力的負担を要するものであった
【０００５】
【特許文献１】特開２００５−１５１８８３号公報
【発明の概要】
【発明が解決しようとする課題】
【０００６】
本発明は、上記問題点に鑑み、簡易にロールベールを運搬可能とし、人的・労力的負担の軽減を実現したロールベールの運搬具を提供することを目的とするものである。
【課題を解決するための手段】
【０００７】
上記目的を達成するため、請求項１記載の本発明は、ロールベールを運搬するための器具であって、所定幅・長さを有する無端状帯体から成る一以上の横ベルトと、所定幅・長さを有する無端状帯体から成る一の縦ベルトと、から成り、前記縦ベルトは、中間箇所で略直交に交差させた状態で該交差箇所を固定して二つの環状体が形成されて成り、前記形成された二つの環状体夫々の中間所定箇所と前記横ベルトとを固定して構成されている。
【０００８】
また、請求項２記載の本発明は、ロールベールを運搬するためのロールベール用吊ベルトであって、所定幅・長さを有する無端状帯体から成る一以上の横ベルトと、所定幅・長さを有する無端状帯体から成る二以上の縦ベルトと、から成り、前記複数の縦ベルト同士を交差させた状態に配置するとともに、該縦ベルトの交差箇所の一方を固定して二以上の環状体が形成されて成り二つの環状体が形成されて成り、前記縦ベルトにおける形成された二以上の環状体夫々の中間所定箇所と前記横ベルトとを固定して構成されている。
【０００９】
さらに、請求項３記載の本発明は、ロールベールを運搬するためのロールベール用吊ベルトであって、所定幅・長さを有する無端状帯体から成る一以上の横ベルトと、所定幅・長さを有する有端状帯体から成る二以上の縦ベルトと、所定長さを有する一の緊結紐と、から成り、前記縦ベルトは、各端部に緊結紐を挿通するための挿通孔を設けて成り、前記複数の縦ベルトにおける夫々の中間所定箇所と前記横ベルトとを固定するとともに、前記各挿通孔に緊結紐を挿通することで該緊結紐を介して各縦ベルト端部が連結状態となった構成を採用している。
【００１０】
またさらに、請求項４記載の本発明は、前記ロールベール用吊ベルトにおいて、前記横ベルトを所定幅・長さを有する有端状帯体により成形し、該横ベルトの各端部に該端部同士を締結するための締結部が備えられている構成を採用する。
【００１１】
さらにまた、請求項５記載の本発明は、前記ロールベール用吊ベルトにおいて、前記横ベルトの締結部に、該横ベルトの長さ調節機能を有する調節部が備えられている構成となっている。
前記ロールベール用吊ベルトにおいて、
該横ベルトの長さ調節機能を有する調節部が備えられていることを特徴とする請求項４に記載のロールベール用吊ベルト。
【発明の効果】
【００１３】
本発明にかかるロールベール用吊ベルトによれば、重量６００ｋｇを越えるような大型のロールベールを運搬するに際し、フォークリフトその他吊り上げ機などを使用して容易に運搬可能であって、従来のように専用重機を使用することなく、機械設備コストの低減に資することとなる。
【００１４】
また、本発明にかかるロールベール用吊ベルトによれば、簡単にロールベールへの取り付け・取り外しが可能であるとともに、該取り付けから吊り上げ運搬、取り外しまでを全て一人で作業することができるため、作業性向上に資するとともに、人的・労力的負担軽減にも資し、さらには、不使用時の収納に際し容易かつ省スペース化を図ることが可能である。
【図面の簡単な説明】
【００１５】
【図１】第一の実施形態にかかるロールベール用吊ベルトを示す斜視図である。（実施例１）
【図２】第二の実施形態にかかるロールベール用吊ベルトを示す斜視図である。（実施例２）
【図３】第三の実施形態にかかるロールベール用吊ベルトを示す斜視図である。（実施例３）
【図４】第三の実施形態にかかるロールベール用吊ベルトの要部を示す部分的斜視図である。（実施例３）
【図５】本発明にかかるロールベール用吊ベルトの使用態様を示す説明図である。（実施例４）
【発明を実施するための形態】
【００１６】
本発明は、横ベルト２と縦ベルト３とから成り、縦ベルト３における中間所定箇所と横ベルト３とを固定してできる中空間ＨにロールベールＲを保持させた状態で、該縦ベルト３を上方へ吊り上げることで、ロールベールＲを容易に運搬可能ならしめたことを最大の特徴とする。以下、本発明にかかるロールベール用吊ベルト１の実施形態を、図面に基づき説明する。
【００１７】
なお、本発明は、下記の実施形態に示した構成に特に限定されるものではなく、本発明の技術的思想の要旨に逸脱しない範囲で任意に変更することができるものである。
【実施例１】
【００１８】
図１は、本発明にかかるロールベール用吊ベルト１の第一の実施形態を示す斜視図である。
すなわち、本実施形態にかかるロールベール用吊ベルト１は、横ベルト２と、縦ベルト３と、から構成されている。
【００１９】
横ベルト２は、ロールベールＲの外周面に一周されるものであって、無端状帯体から構成されている。そしてまた、該横ベルト２は、所定幅を有しているとともに、少なくともロールベールＲの外周面を一周できるだけの長さを有している。該横ベルト２の材質については、特に限定するものではないが、大型のロールベールＲの重量（６００ｋｇを超える重量）に耐え得るだけの強度を有し、例えばナイロン製や布製などが考え得る。
【００２０】
ところで、図３に示すように、前記横ベルト２を所定幅・長さを有する有端状帯体により成形し、該横ベルト２の各端部に該端部同士を締結するための締結部５が備えられている構成を採用することが考え得る。該締結部５を備える構成を採用することで、中間所定箇所において横ベルト２を切り離すことができるため、本発明にかかるロールベール用吊ベルト１のロールベールＲへの着脱を容易に行うことが可能となる。
なお、該締結部５の構造については、特に限定は無く、ベルクロファスナーを備えることで締結機能をもたせたり、締結器具を取り付けることなどが考え得る。
【００２１】
また、横ベルト２の締結部５には、図３に示すように、該横ベルト２の長さ調節機能を有する調節部６が備えられている構成を採用することも考え得る。該調節部６を備える構成を採用することで、横ベルト２の長さを自由に調節することができるため、本発明にかかるロールベール用吊ベルト１の装着時において、横ベルト２をロールベールＲの外周面にフィットさせることができるとともに、着脱時に横ベルト２を緩ませて着脱を容易に行うことが可能となる。
なお、該調節部６の構造については、従来からある一般的な帯状物の長さ調節機構を用いればよく、特に限定するものではない。
【００２２】
縦ベルト３は、ロールベールＲの底面から外周面を通ってさらに上方位置に配置されるものであって、無端状帯体から構成され、一のロールベール用吊ベルト１につき一の縦ベルト３が用いられる。
また、該縦ベルト３は、所定幅を有しているとともに、所定長さを有している。該縦ベルト３の材質については、特に限定するものではなく、前記横ベルト２と同様、大型のロールベールＲの重量（６００ｋｇを超える重量）に耐え得るだけの強度を有し、例えばナイロン製や布製などが考え得る。
【００２３】
該縦ベルト３は、中間位置で略直交に交差させた状態とし、その交差箇所３ａは縫い付け等により固定される。この固定された交差箇所３ａを備えることで、縦ベルト３には二つの環状体３Ａ・３Ｂが形成されることとなる。
【００２４】
縦ベルト３の中間所定箇所には、図３に示すように、該縦ベルト２の長さ調節機能を有する調節部７が備えられている構成を採用することが考え得る。該調節部７を備える構成を採用することで、縦ベルト３の長さを自由に調節することができるため、本発明にかかるロールベール用吊ベルト１の装着時における吊り上げに必要な縦ベルト３の長さを自由に設定することが可能となる。
なお、該調節部７の構造については、特に限定するものではなく、従来の一般的な帯状物の長さ調節機構を用いればよい。
【００２５】
上記の通り構成される横ベルト２と縦ベルト３とは、その交点において縫い付け等により固定され、固定部３ｂを形成することとなる。具体的には、図１に示すように、縦ベルト３を中間位置で交差させて形成された二つの環状体３Ａ・３Ｂの夫々の中間所定箇所において、一の横ベルト２と交差する箇所は全部で４箇所あり、その交点４箇所において横ベルト２と縦ベルト３とが固定されて固定部３ｂを形成する。
【００２６】
ところで、図面では、本発明にかかるロールベール用吊ベルト１において一の横ベルト２から成る場合について示しているが、複数の横ベルト２を採用する構成も可能であり、すなわち複数の横ベルト２から構成される場合には、該横ベルト２と縦ベルト３との固定すべき交点は、４の倍数で増加することとなる。
【００２７】
なお、本発明にかかるロールベール用吊ベルト１につて、横ベルト２と縦ベルト３とを色違いとする態様が考え得る。すなわち、横ベルト２と縦ベルト３とが同色である場合、該ロールベール用吊ベルト１の上下を見分けることが困難な場合がある。したがって、横ベルト２と縦ベルト３とを色違いにすることで、該ロールベール用吊ベルト１の上下判断が容易となり、作業性の向上に資することとなる。
【００２８】
以上の通り構成される本発明にかかるロールベール用吊ベルト１は、図１に示すように、縦ベルト３における交差箇所３ａを中心とする所定長さαを直径として、底面部を形成する。また、横ベルト２及び該横ベルト２と固定された固定部３ｂを含む縦ベルト３の所定長さβにより、側面部を形成する。さらに、縦ベルト３における上方位置に配置されている部分は、その頂点に位置する折り返し箇所を掛部３ｃとした吊り上げ用帯体を形成する。
そして、形成された底面部、側面部、吊り上げ用帯体に囲まれた中空間Ｈに、ロールベールＲが保持されることとなる。このとき、底面部にロールベールＲの底面が当接し、側面部にロールベールＲの外周面が当接するように保持される。
【実施例２】
【００２９】
図２は、本発明にかかるロールベール用吊ベルト１の第二の実施形態を示す斜視図である。
すなわち、本実施形態にかかるロールベール用吊ベルト１は、横ベルト２と、縦ベルト３と、から構成されている。
なお、横ベルト２の構成については、上記第一の実施形態と同様である。
【００３０】
縦ベルト３は、ロールベールＲの底面から外周面を通ってさらに上方位置に配置されるものであって、無端状帯体から構成され、一のロールベール用吊ベルト１につき少なくとも二以上の縦ベルト３が用いられる。なお、図面では、二つの縦ベルト３を用いた場合について示している。また、該縦ベルト３は、所定幅を有しているとともに、所定長さを有している。なお、該縦ベルト３の材質、並びに、縦ベルト３の中間所定箇所に調節部７を備えた構成が採用可能であることについては、上記第一の実施形態と同様である。
【００３１】
前記複数の縦ベルト３同士は、互いに交差させた状態に配置される。交差させることにより、夫々の縦ベルト３には他の縦ベルト３と二箇所において交差する箇所を備えることとなる。かかる二つの交差箇所３ａ・３ｃのうち一方の交差箇所３ａについて、複数の縦ベルト３同士を縫い付け等により固定する。この固定された交差箇所３ａを備えることで、縦ベルト３には二以上の環状体が形成されることとなる。なお、図面では、二つの縦ベルト３を用いることで、二つの環状体３Ａ・３Ｂが形成された場合について示している。
【００３２】
上記の通り構成される横ベルト２と縦ベルト３とは、その交点において縫い付け等により固定され、固定部３ｂを形成することとなる。具体的には、図２に示すように、二つの縦ベルト３を用いた場合に形成される二つの環状体３Ａ・３Ｂの夫々の中間所定箇所において、一の横ベルト２と交差する箇所は全部で４箇所あり、その交点４箇所において横ベルト２と縦ベルト３とが固定されて固定部３ｂを形成する。
【００３３】
ところで、図面では、本発明にかかるロールベール用吊ベルト１において二つの縦ベルト３から成る場合について示している。すなわち、本実施形態にかかるロールベール用吊ベルト１に使用する縦ベルト３の数は二以上であるため、該横ベルト２と縦ベルト３との固定すべき交点は、図面に示すように、少なくとも４箇所となり、該縦ベルト３の使用数が増加するに従って固定部３ｂの数も増加する。
【００３４】
また、図面では、本発明にかかるロールベール用吊ベルト１において一の横ベルト２から成る場合について示しているが、複数の横ベルト２を採用する構成も可能であり、すなわち複数の横ベルト２から構成される場合には、該横ベルト２と縦ベルト３との固定すべき交点は、縦ベルト３の数×２の割合で増加することとなる。
【００３５】
なお、本発明にかかるロールベール用吊ベルト１につて、横ベルト２と縦ベルト３とを色違いとする態様を採用し得る点については、上記第一の実施形態と同様である。
【００３６】
以上の通り構成される本発明にかかるロールベール用吊ベルト１は、図２に示すように、縦ベルト３における交差箇所３ａを中心とする所定長さαを直径として、底面部を形成する。また、横ベルト２及び該横ベルト２と固定された固定部３ｂを含む縦ベルト３の所定長さβにより、側面部を形成する。さらに、縦ベルト３における上方位置に配置されている部分は、その頂点に位置する交差箇所を掛部３ｃとした吊り上げ用帯体を形成する。
そして、形成された底面部、側面部、吊り上げ用帯体に囲まれた中空間Ｈに、ロールベールＲが保持されることとなる。このとき、底面部にロールベールＲの底面が当接し、側面部にロールベールＲの外周面が当接するように保持される。
【実施例３】
【００３７】
図３は、本発明にかかるロールベール用吊ベルト１の第三の実施形態を示す斜視図である。
すなわち、本実施形態かかるロールベール用吊ベルト１は、横ベルト２と、縦ベルト３と、緊結紐４と、から構成されている。
なお、横ベルト２の構成については、上記第一・第二の実施形態と同様である。
【００３８】
縦ベルト３は、ロールベールＲの底面から外周面を通ってさらに上方位置に配置されるものであって、複数の有端状帯体から構成されている。そしてまた、該縦ベルト３は、所定幅を有しているとともに、所定長さを有している。該縦ベルト３の材質については、上記第一・第二の実施形態と同様である。
【００３９】
該縦ベルト３は、その各端部に緊結紐４を挿通するための挿通孔３ｄが設けられている。
なお、縦ベルト３の中間所定箇所に、調節部７が備えられている構成を採用することが考え得ることは、上記第一・第二の実施形態と同様である。
このとき、前記複数の縦ベルト３同士は、図面に示すように、上方位置にて交差させた状態で配置してもよく、あるいは、図１と同様に上方位置を交差させずに配置させる態様が考え得る。
【００４０】
緊結紐４は、前記縦ベルト３の各端部に設けられた挿通孔３ｄに一連に挿通されるものであって、有端状・無端状を問わず、所定長さを有している。また、該緊結紐４の材質については、特に限定するものではないが、大型のロールベールＲの重量（６００ｋｇを超える重量）に耐え得るだけの強度を有し、例えばナイロン製や布製などが考え得る。
各挿通孔３ｂに緊結紐４を一連に挿通することで、該緊結紐４を介して各縦ベルト３の端部が連結状態となる。そしてまた、図４に示すように、各挿通孔３ｂに挿通された緊結紐４を絞ることで、各縦ベルト３の端部が緊結状態となる。このとき、緊結紐４を絞ることで余った部分は、緩みの生じないよう拘束具で固定したり、あるいは単純に縛るなどして拘束状態とする。
【００４１】
上記の通り構成される横ベルト２と縦ベルト３とは、その交点において縫い付け等により固定され、固定部３ｂを形成することとなる。具体的には、図３に示すように、一の縦ベルト３における交差箇所と端部との中間所定箇所において、一の横ベルト２と交差する箇所は全部で２箇所あり、その交点２箇所において横ベルト２と縦ベルト３とが固定されて固定部３ｂを形成する。
【００４２】
なお、図面では、本発明にかかるロールベール用吊ベルト１において二つの縦ベルト３から成る場合について示している。すなわち、本実施形態にかかるロールベール用吊ベルト１に使用する縦ベルト３の数は二以上であるため、該横ベルト２と縦ベルト３との固定すべき交点は、図面に示すように、少なくとも４箇所となり、該縦ベルト３の使用数が増加するに従って固定部３ｂの数も増加する。
【００４３】
また、図面では、本発明にかかるロールベール用吊ベルト１において一の横ベルト２から成る場合について示しているが、複数の横ベルト２を採用する構成も可能であり、すなわち複数の横ベルト２から構成される場合には、該横ベルト２と縦ベルト３との固定すべき交点は、縦ベルト３の数×２の割合で増加することとなる。
【００４４】
なお、本発明にかかるロールベール用吊ベルト１につて、横ベルト２と縦ベルト３とを色違いとする態様を採用し得る点については、上記第一・第二の実施形態と同様である。
【００４５】
以上の通り構成される本発明にかかるロールベール用吊ベルト１は、図３に示すように、緊結紐４を絞ることでできる縦ベルト３の各端部近傍箇所γ及び緊結紐４によって、底面部を形成する。また、横ベルト２及び該横ベルト２と固定された固定部３ｂを含む縦ベルト３の所要長さβにより、側面部を形成する。さらに、縦ベルト３における上方位置に配置されている部分は、その頂点箇所を掛部３ｃとした吊り上げ用帯体を形成する。
そして、形成された底面部、側面部、吊り上げ用帯体に囲まれた中空間Ｈに、ロールベールＲが保持されることとなる。このとき、底面部にロールベールＲの底面が当接し、側面部にロールベールＲの外周面が当接するように保持される。
【実施例４】
【００４６】
次に、本発明にかかるロールベール用吊ベルト１の使用態様について、図面に基づき例示説明する。図５は、本発明の第二の実施形態にかかるロールベール用吊ベルト１の使用態様を示す説明図である。
【００４７】
まず初めに、ロールベールＲに対し、上からロールベール用吊ベルト１を被せるように装着する。このとき、横ベルト２に締結部５が備えられている場合には、該締結部５を外した状態でロールベール用吊ベルト１装着した後に締結部５を締結・固定する。また、横ベルト２に調節部６が備えられている場合には、該調節部６の調節機能を使って、横ベルト２の締め付け状態の調節を行う。同様に、縦ベルト３に調節部７が備えられている場合についても、該調節部７の調節機能を使って、縦ベルト３の長さ調節を行う。
【００４８】
なお、第三の実施形態にかかるロールベール用吊ベルト１の装着に際しては、上記に加え、ロールベール用吊ベルト１をロールベールＲへ被せた後に緊結紐４を絞り、余った部分を緩みの生じないよう縛るなどして拘束状態とする。
【００４９】
次に、ロールベール用吊ベルト１が装着された状態で、ロールベールＲを反転させる。反転に際しては、人力によることも考えられるが、大型のロールベールＲの重量（６００ｋｇを超える重量）を考慮すると、フォークリフトＦ等により機械的に力を加えて反転させることが好ましい。
【００５０】
ロールベールＲの反転後、その上方位置に配置されている縦ベルト３の掛部３ｃにフォークリフトＦのフォーク部Ｆ１を引っ掛けるなどして機械的に吊り上げられ、任意の場所に運搬される。
運搬後にロールベールＲからロールベール用吊ベルト１を外す際は、上記した装着手順の逆を行うことで足りる。
【００５１】
なお、上記において説明した使用態様は一例であって、本発明が上記以外の使用態様により使用された場合であっても、本発明の技術的範囲に含まれることは言うまでもない。
例えば、ロールベール用吊ベルト１を外すに際し、ロールベールＲの反転を行うことなく、ロールベール用吊ベルト１をロールベールＲ最下方までズリ下げ、その状態でロールベールＲを機械的に押すなどして、ロールベール用吊ベルト１上からロールベールＲをズラして外す態様なども考え得る。
【産業上の利用可能性】
【００５２】
本発明は、大型のロールベールＲの運搬に際し、従来のように専用重機を使用することなく、機械設備コストの低減に資するとともに、本発明品の製品コスト低廉化の実現も見込め、かつ、本発明品の取り付け・取り外しからロールベールＲの吊り上げ運搬まで全てを一人で作業することができ、作業性向上に資するとともに、人的・労力的負担軽減にも資することとなって、本発明の産業上の利用可能性は非常に高いものと思量する。
【符号の説明】
【００５３】
１    ロールベール用吊ベルト
２    横ベルト
３    縦ベルト
３Ａ・３Ｂ    環状体
３ａ  交差箇所
３ｂ  固定部
３ｃ  掛部
３ｄ  挿通孔
４    緊結紐
５    締結部
６    調節部
７    調節部
８    拘束具
Ｆ    フォークリフト
Ｆ１  フォーク部
Ｈ    中空間
Ｒ    ロールベール
【図１】
0005563517.tif 000002
【図２】
0005563517.tif 000003
【図３】
0005563517.tif 000004
【図４】
0005563517.tif 000005
【図５】
0005563517.tif 000006